(57)【要約】【課題】本発明は薄型タイプのスピーカとそれを用いた電子機器に関するもので、薄型化を図ることを目的とするものである。【解決手段】そしてこの目的を達成するために本発明は、磁気ギャップを介して水平方向、または略水平方向に配置した板状磁石７，１２と、前記磁気ギャップに可動自在に配置したボイスコイル１０と、このボイスコイル１０に結合した振動板９とを備え、前記板状磁石１２は、その板端に磁極を形成し、前記板状磁石７は、その厚み方向の両端に磁極を形成し、前記磁気ギャップにおけるボイスコイル１０部分においては、このボイスコイル１０部分に対して磁束が略直交する構成としたものである。【選択図】図６
2007281910.tif 000002
【特許請求の範囲】
【請求項１】
磁気ギャップを介して水平方向、または略水平方向に配置した第一、第二の板状磁石と、前記磁気ギャップに可動自在に配置したボイスコイルと、このボイスコイルに結合した振動板とを備え、前記第一の板状磁石は、その板端に磁極を形成し、前記第二の板状磁石は、その厚み方向の両端に磁極を形成し、前記磁気ギャップにおけるボイスコイル部分においては、このボイスコイル部分に対して磁束が略直交する構成としたスピーカ。
【請求項２】
第一、第二の板状磁石は磁気回路形成体で磁気的に連結した請求項１に記載のスピーカ。
【請求項３】
第一、第二の板状磁石はそれぞれ長方形とし、これら長方形状の第一、第二の板状磁石の長手方向を磁気ギャップを介して略対向させた請求項１、または請求項２に記載のスピーカ。
【請求項４】
長方形状の第二の板状磁石の長手方向両側に、それぞれ磁気ギャップを介して長方形状の第一の板状磁石を、その長手方向を略対向させて配置した請求項３に記載のスピーカ。
【請求項５】
ボイスコイルは平面形状を略長円形状とし、この略長円形状のボイスコイルの両側の長辺を、長方形状の第二の板状磁石の両側の磁気ギャップに配置した請求項４に記載のスピーカ。
【請求項６】
第一の板状磁石の、第二の板状磁石への対向側端部をＮ極とした請求項１から５のいずれか一つに記載のスピーカ。
【請求項７】
請求項１から請求項６のいずれか１つに記載のスピーカを本体内に内蔵した電子機器。
【請求項８】
請求項１から請求項６のいずれか１つに記載のスピーカを平面形状が矩形状とし、このスピーカを本体内に内蔵させた電子機器。
【発明の詳細な説明】
【技術分野】
【０００１】
本発明は薄型タイプのスピーカとそれを用いた電子機器に関するものである。
【背景技術】
【０００２】
携帯機器などの電子機器においては薄型化が要求されるため、その本体内に内蔵させるスピーカも薄型化が要求されることになる。
【０００３】
スピーカの薄型化を図るためには、その磁気回路を形成するための磁石を小型化することが当然のように行われているが、磁石を小さくすると磁力が小さくなり、その結果として音声出力も小さくなってしまうので、実際は磁石をあまり小さくはできない状態になっている（例えば、このような従来技術は下記特許文献１に記載されている。）。
【特許文献１】特開２００５−５１２８３号公報
【発明の開示】
【発明が解決しようとする課題】
【０００４】
上述のごとく従来から、携帯機器などの電子機器に内蔵させるタイプのスピーカは薄型化が図られているが、音声出力が小さくなってしまうのを避けるべく、実際には磁石をあまり小さくはできないのが実態で、その結果として十分に満足できる薄型化が行なえていないという問題があった。
【０００５】
そこで本発明は薄型化が図れ、しかも音声出力を高めるようにすることを目的にするものである。
【課題を解決するための手段】
【０００６】
そしてこの目的を達成するために本発明は、磁気ギャップを介して水平方向、または略水平方向に配置した第一、第二の板状磁石と、前記磁気ギャップに可動自在に配置したボイスコイルと、このボイスコイルに結合した振動板とを備え、前記第一の板状磁石は、その板端に磁極を形成し、前記第二の板状磁石は、その厚み方向の両端に磁極を形成し、前記磁気ギャップにおけるボイスコイル部分においては、このボイスコイル部分に対して磁束が略直交する構成としたものである。
【発明の効果】
【０００７】
以上のように本発明は、磁気ギャップを介して水平方向、または略水平方向に配置した第一、第二の板状磁石と、前記磁気ギャップに可動自在に配置したボイスコイルと、このボイスコイルに結合した振動板とを備え、前記第一の板状磁石は、その板端に磁極を形成し、前記第二の板状磁石は、その厚み方向の両端に磁極を形成し、前記磁気ギャップにおけるボイスコイル部分においては、このボイスコイル部分に対して磁束が略直交する構成としたスピーカであって、磁気ギャップを介して磁気ギャップ水平方向、または略水平方向に配置したので、薄型化が図れ、しかも磁気ギャップの両側に第一、第二の板状磁石を配置したので、磁力を高めて音声出力を高めることもできるものとなる。
【発明を実施するための最良の形態】
【０００８】
以下本発明の一実施形態を、電子機器として携帯電話を例にし、添付図面を用いて説明する。
【０００９】
図１において、１は本体で、この本体１には蓋２が開閉自在に結合されている。この図１における背面側から見ると一般的な携帯電話と同じように本体１には操作ボタン（図示せず）が設けられ、また蓋２には液晶式の表示部（図示せず）が設けられている。
【００１０】
また、本体１の外面側には図１のごとく２個のカバー３が設けられ、これらのカバー３の背面側の本体１内には図２、図３に示したスピーカ４が実装されている。
【００１１】
スピーカ４は図３に示すように非磁性体であるステンレス３０１により形成された表面側のプレート５と、磁性体である冷間圧延鋼板により形成されたプレート６との間に、プレート６側からプレート５に向けて順にネオジウム製の板状磁石７、磁性体である冷間圧延鋼板により形成されたリング８、ＰＥＩ樹脂フィルムにより形成された振動板９、銅線などにより形成されたボイスコイル１０、磁性体である冷間圧延鋼板により形成されたリング１１、ネオジウム製の２枚の板状磁石１２を順次配置している。
【００１２】
なお、プレート５の表面の一部と各部の外周側は図５、図６のごとく、樹脂製のフレーム１３で覆っている。
【００１３】
図３、図５、図６に示すように、上記プレート６は長円形状で、その長手方向中心軸部分の長方形状の固定部６Ａには、長方形状の板状磁石７が固定され、固定部６Ａの両側には長方形状の開口部６Ｂが形成されている。
【００１４】
またプレート６の外周部分にはリング８が磁束が通過できる状態で固定されている。
【００１５】
さらにリング８上には振動板９の外周が載せられ、振動板９の外周部にはリング１１が載せられた状態になっている。
【００１６】
また、振動板９上面で、上記プレート６の開口部６Ｂに対向する部分には、上記２枚の板状磁石１２が固定されている。
【００１７】
また振動板９上面で、板状磁石７の外周に対応する部分には、図６に示すように長円形状のボイスコイル１０が固定されている。
【００１８】
以上のように構成された状態で、ネオジウム製の２枚の板状磁石１２は、図７に示すごとく、その長手方向内側端部がＮ極、外側端部がＳ極に磁化されている。
【００１９】
また、ネオジウム製の板状磁石７は、図７に示すごとく、その厚み方向の表面側がＳ極、厚み方向の下面側がＮ極に磁化されている。
【００２０】
この結果、図４と図７に示すごとくネオジウム製の２枚の板状磁石１２のそれぞれの内側のＮ極から出た磁束（図４においては図面の煩雑感を避けるために一方の板状磁石１２から出た磁束だけを記載している）は、内方へと略水平に進行してボイスコイル１０を略直交状態で横切り、次に板状磁石７上面のＳ極に進入する（なお、板状磁石１２と７は水平、または略水平状態に配置されていると説明しているが、この略水平状態とは図６に示したように板状磁石１２と７の厚み方向が一部水平方向で重なった状態、および両者が厚み方向で一部水平方向で重なってはいないが接近した状態も含んだものである。つまり、磁束をボイスコイル１０に略直交するように進行させることが重要で、その点で水平状態には若干の幅が設定されるものである。）。
【００２１】
その後、板状磁石７下面のＮ極から出た磁束はプレート６の長方形状の固定部６Ａを進行し、リング８、振動板９の外周部を通過後にリング１１に進入し、次にこのリング１１を例えば４分の１週進行後、このリング１１の内周に図６のごとく固定されている板状磁石１２の外周Ｓ極へと進入することとなる。
【００２２】
そして以上の磁束の流れがそのまま磁気回路となり、この磁気回路内で板状磁石１２の内側Ｎ極と板状磁石７の上面Ｓ極間が磁気ギャップとなり、この磁気ギャップでボイスコイル１０は電磁界駆動力が与えられ、これによりボイスコイル１０が固定された振動板９に振動が伝えられ、音声出力が発せられることになる。
【００２３】
ここで再び磁気ギャップにおける磁束の進行について説明する。
【００２４】
図４と図７に示す板状磁石１２のそれぞれの内側のＮ極から出た磁束は、磁気ギャップにおいて内方へと略水平に進行し、ボイスコイル１０を略直交状態で横切るということは電磁界駆動力を大きくするために非常に重要なことであり、本実施の形態において大きな特徴点となっている。
【００２５】
本実施の形態において、磁束が磁気ギャップにおいて内方へと略水平に進行し、ボイスコイル１０を略直交状態で横切る理由について考察する。
【００２６】
一般的に考えると、板状磁石１２のＮ極から出た磁束は、距離的に短い板状磁石７の上面のＳ極へと斜めに進行しようとするが（この場合磁束はボイスコイル１０をわずかながら斜めに横切ることになる）、板状磁石７の下面のＮ極の反発を受けることで、実際にはその反発力で持ち上げられ、その結果として本実施の形態においては、磁束が磁気ギャップにおいて内方へと略水平に進行し、ボイスコイル１０を略直交状態で横切るものと考えられる。
【００２７】
さて本実施の形態では上述のごとく磁気ギャップの両側に板状磁石１２，７を設けたので、いわゆる磁力が大きくなり、その結果として上記振動板９による音声出力も大きなものとすることができる。
【００２８】
また、磁力を大きくするための板状磁石１２，７は文字通り板状でそれ自体が薄型のものであるので、結果として全体形状を非常に薄いものとすることができる。
【産業上の利用可能性】
【００２９】
以上のように本発明は、磁気ギャップを介して水平方向、または略水平方向に配置した第一、第二の板状磁石と、前記磁気ギャップに可動自在に配置したボイスコイルと、このボイスコイルに結合した振動板とを備え、前記第一の板状磁石は、その板端に磁極を形成し、前記第二の板状磁石は、その厚み方向の両端に磁極を形成し、前記磁気ギャップにおけるボイスコイル部分においては、このボイスコイル部分に対して磁束が略直交する構成としたスピーカであって、磁気ギャップを介して磁気ギャップ水平方向、または略水平方向に配置したので、薄型化が図れ、しかも磁気ギャップの両側に第一、第二の板状磁石を配置したので、磁力を高めて音声出力を高めることもできるものとなる。
【００３０】
この結果、携帯電話等の携帯機器には非常に活用しやすいものとなる。
【図面の簡単な説明】
【００３１】
【図１】本発明の一実施形態を携帯電話に適用した斜視図
【図２】本発明の一実施形態を携帯電話に適用した斜視図
【図３】同スピーカの分解斜視図
【図４】同スピーカの分解斜視図
【図５】同スピーカを長手方向で切断した断面図
【図６】同スピーカを短手方向で切断した断面図
【図７】図６のＡ部分の拡大断面図
【符号の説明】
【００３２】
１  本体
４  スピーカ
７  板状磁石
１２  板状磁石
【図１】
2007281910.tif 000003
【図２】
2007281910.tif 000004
【図３】
2007281910.tif 000005
【図４】
2007281910.tif 000006
【図５】
2007281910.tif 000007
【図６】
2007281910.tif 000008
【図７】
2007281910.tif 000009